(57)【要約】【課題】位相調整や重み付けの変更により発生するノイズを低減させる。【解決手段】第１アンテナを介して受信される第１信号と、第２アンテナを介して受信される第２信号との位相差を調整する位相調整回路と、前記第１信号と前記第２信号との重み付けを制御する重み付け制御回路と、前記位相調整回路から出力される前記第１信号及び前記第２信号を、前記重み付けに基づいて合成した合成信号を出力する合成回路と、前記位相差の調整及び前記重み付けの変化に基づいて、前記合成信号に含まれるノイズを検出するノイズ検出回路と、前記ノイズ検出回路の検出結果に基づいて、前記合成信号に含まれるノイズを除去するノイズ除去回路と、を備える。【選択図】  図１
2007027944.tif 000002
【特許請求の範囲】
【請求項１】
第１アンテナを介して受信される第１信号と、第２アンテナを介して受信される第２信号との位相差を調整する位相調整回路と、
前記位相調整回路から出力される前記第１信号及び前記第２信号を合成した合成信号を出力する合成回路と、
前記位相差の調整に基づいて、前記合成信号に含まれるノイズを検出するノイズ検出回路と、
前記ノイズ検出回路の検出結果に基づいて、前記合成信号に含まれるノイズを除去するノイズ除去回路と、
を備えることを特徴とするダイバーシティ受信回路。
【請求項２】
第１アンテナを介して受信される第１信号と、第２アンテナを介して受信される第２信号との重み付けを制御する重み付け制御回路と、
前記第１信号及び前記第２信号を、前記重み付けに基づいて合成した合成信号を出力する合成回路と、
前記重み付けの変化に基づいて、前記合成信号に含まれるノイズを検出するノイズ検出回路と、
前記ノイズ検出回路の検出結果に基づいて、前記合成信号に含まれるノイズを除去するノイズ除去回路と、
を備えることを特徴とするダイバーシティ受信回路。
【請求項３】
請求項１に記載のダイバーシティ受信回路であって、
前記第１信号と前記第２信号との重み付けを制御する重み付け制御回路を更に備え、
前記合成回路は、
前記位相調整回路から出力される前記第１信号及び前記第２信号を、前記重み付けに基づいて合成した合成信号を出力し、
前記ノイズ検出回路は、
前記位相差の調整及び前記重み付けの変化に基づいて、前記合成信号に含まれるノイズを検出すること、
を特徴とするダイバーシティ受信回路。
【請求項４】
請求項１又は３に記載のダイバーシティ受信回路であって、
前記位相調整回路は、
前記第１信号の位相と前記第２信号の位相とを比較する位相比較回路と、
前記位相比較回路における位相の比較結果に基づいて、前記第２信号の位相の補正を制御する制御信号を出力する位相制御回路と、
前記位相制御回路から出力される制御信号に基づいて、前記第２信号の位相を補正する位相補正回路と、
を含んで構成され、
前記ノイズ検出回路は、
前記位相制御回路から出力される前記制御信号に基づいて、前記合成信号に含まれるノイズを検出すること、
を特徴とするダイバーシティ受信回路。
【請求項５】
請求項２又は３に記載のダイバーシティ受信回路であって、
前記重み付け制御回路は、
前記第１信号及び前記第２信号の信号レベルに基づいて、前記第１信号と前記第２信号との重み付けの制御値を出力し、
前記ノイズ検出回路は、
前記重み付け制御回路から出力される前記重み付けの制御値の変化に基づいて、前記合成信号に含まれるノイズを検出すること、
を特徴とするダイバーシティ受信回路。
【請求項６】
第１アンテナを介して受信される第１信号と、第２アンテナを介して受信される第２信号との位相差に基づいて、前記第２信号の位相の補正を制御する制御信号を出力する位相制御回路と、
前記位相制御回路から出力される前記制御信号を所定の時間遅延させて出力する遅延回路と、
前記位相制御回路から出力される前記制御信号に基づいて、前記第２信号の位相を補正して出力する第１位相補正回路と、
前記遅延回路から出力される前記制御信号に基づいて、前記第２信号の位相を補正して出力する第２位相補正回路と、
前記第１位相補正回路から出力される前記第２信号と、前記第２位相補正回路から出力される前記第２信号とを合成して出力する出力補正回路と、
前記第１信号と、前記出力補正回路から出力される前記第２信号とを合成した合成信号を出力する合成回路と、
を備えることを特徴とするダイバーシティ受信回路。
【請求項７】
第１アンテナを介して受信される第１信号の信号レベル及び第２アンテナを介して受信される第２信号の信号レベルに応じて、前記第１信号と前記第２信号との重み付けの制御値を出力する重み付け出力回路と、
前記重み付け出力回路から出力される重み付けの制御値である第１の制御値と、前記第１の制御値の直前に前記重み付け出力回路から出力された重み付けの制御値である第２の制御値とに基づいて、重み付けの制御値を前記第２の制御値から前記第１の制御値に徐々に変化させて出力する重み付け更新回路と、
前記第１信号及び前記第２信号を、前記重み付け更新回路から出力される前記重み付けの制御値に基づいて合成した合成信号を出力する合成回路と、
を備えることを特徴とするダイバーシティ受信回路。
【請求項８】
請求項６に記載のダイバーシティ受信回路であって、
前記第１信号の信号レベル及び前記第２信号の信号レベルに応じて、前記第１信号と前記第２信号との重み付けの制御値を出力する重み付け出力回路と、
前記重み付け出力回路から出力される重み付けの制御値である第１の制御値と、前記第１の制御値の直前に前記重み付け出力回路から出力された重み付けの制御値である第２の制御値とに基づいて、重み付けの制御値を前記第２の制御値から前記第１の制御値に徐々に変化させて出力する重み付け更新回路と、
を更に備え、
前記合成回路は、
前記第１信号と、前記出力補正回路から出力される前記第２信号とを、前記重み付け更新回路から出力される前記重み付けの制御値に基づいて合成した合成信号を出力すること、
を特徴とするダイバーシティ受信回路。
【請求項９】
請求項１又は３に記載のダイバーシティ受信回路であって、
前記位相調整回路は、
前記第１信号と前記第２信号との位相差に基づいて、前記第２信号の位相の補正を制御する制御信号を出力する位相制御回路と、
前記位相制御回路から出力される前記制御信号を所定の時間遅延させて出力する遅延回路と、
前記位相制御回路から出力される前記制御信号に基づいて、前記第２信号の位相を補正して出力する第１位相補正回路と、
前記遅延回路から出力される前記制御信号に基づいて、前記第２信号の位相を補正して出力する第２位相補正回路と、
前記第１位相補正回路から出力される前記第２信号と、前記第２位相補正回路から出力される前記第２信号とを合成して出力する出力補正回路と、
を含んで構成され、
前記合成回路は、
前記第１信号と、前記出力補正回路から出力される前記第２信号とを合成して前記合成信号を出力し、
前記ノイズ検出回路は、
前記位相制御回路から出力される前記制御信号の変化に基づいて、前記合成信号に含まれるノイズを検出すること、
を特徴とするダイバーシティ受信回路。
【請求項１０】
請求項２又は３に記載のダイバーシティ受信回路であって、
前記重み付け制御回路は、
前記第１信号の信号レベル及び前記第２信号の信号レベルに応じて、前記第１信号と前記第２信号との重み付けの制御値を出力する重み付け出力回路と、
前記重み付け出力回路から出力される重み付けの制御値である第１の制御値と、前記第１の制御値の直前に前記重み付け出力回路から出力された重み付けの制御値である第２の制御値とに基づいて、重み付けの制御値を前記第２の制御値から前記第１の制御値に徐々に変化させて出力する重み付け更新回路と、
を含んで構成され、
前記合成回路は、
前記第１信号及び前記第２信号を、前記重み付け更新回路から出力される前記重み付けの制御値に基づいて合成して前記合成信号を出力し、
前記ノイズ検出回路は、
前記重み付け更新回路から出力される前記重み付けの制御値の変化に基づいて、前記合成信号に含まれるノイズを検出すること、
を特徴とするダイバーシティ受信回路。
【請求項１１】
請求項９に記載のダイバーシティ受信回路であって、
前記第１信号及び前記第２信号の信号レベルに応じて、前記第１信号と前記第２信号との重み付けの制御値を出力する重み付け出力回路と、
前記重み付け出力回路から出力される重み付けの制御値である第１の制御値と、前記第１の制御値の直前に前記重み付け出力回路から出力された重み付けの制御値である第２の制御値とに基づいて、重み付けの制御値を前記第２の制御値から前記第１の制御値に徐々に変化させて出力する重み付け更新回路と、
を更に備え、
前記合成回路は、
前記第１信号と、前記出力補正回路から出力される前記第２信号とを前記重み付け更新回路から出力される前記重み付けの制御値に基づいて合成して前記合成信号を出力し、
前記ノイズ検出回路は、
前記位相制御回路から出力される前記制御信号の変化と、前記重み付け更新回路から出力される前記重み付けの制御値の変化とに基づいて、前記合成信号に含まれるノイズを検出すること、
を特徴とするダイバーシティ受信回路。
【発明の詳細な説明】
【技術分野】
【０００１】
本発明は、ダイバーシティ受信回路に関する。
【背景技術】
【０００２】
ＦＭ信号やＯＦＤＭ信号等の無線信号を複数のアンテナで受信し、信号レベルの大きい無線信号を選択したり、複数の無線信号を合成したりするダイバーシティ受信回路が知られている（例えば、特許文献１）。
【０００３】
図１１は、ＦＭ信号を複数のアンテナを介して受信するダイバーシティ受信回路の一般的な構成例を示す図である。ダイバーシティ受信回路１００は、位相調整回路１１１、重み付け制御回路１１２、乗算器１１３，１１４、合成器１１５、検波回路１１６、及びオーディオ処理回路１１７を含んで構成されている。
【０００４】
２つのアンテナ１２０，１２１で受信されるＦＭ信号は、フロントエンド回路１２２，１２３によって中間周波信号に変換され、位相調整回路１１１に入力される。位相調整回路１１１は、所定のタイミングで２つのアンテナ１２０，１２１からの信号の位相差を検出し、２つの信号の位相を同期させて出力する。
【０００５】
重み付け制御回路１１２は、位相調整回路１１１から出力される２つの信号の信号レベル等に基づいて、各信号の重み付けを決定する。そして、位相調整回路１１１から出力される２つの信号は、乗算器１１３，１１４において重み付けが行われ、重み付けされた２つの信号が合成器１１５によって合成されて出力される。
【０００６】
検波回路１１６は、合成器１１５から出力される合成された中間周波信号を音声信号に変換して出力する。そして、オーディオ処理回路１１７は、音声信号に低周波増幅処理等の各種オーディオ処理を施し、スピーカ１３０から音声を出力する。
【特許文献１】特開２００１−１５６６８９号公報
【発明の開示】
【発明が解決しようとする課題】
【０００７】
このように、ダイバーシティ受信回路１００では、２つのアンテナ１２０，１２１を介して受信された信号の位相調整及び重み付けの処理が行われているが、位相調整のタイミング、及び重み付けを変更するタイミングにおいて、ノイズが発生する場合がある。
【０００８】
図１２は、位相調整を行う際の信号の変化を示す図である。例えば、アンテナ１２０を介して受信された信号（出力１）と、アンテナ１２１を介して受信された信号（出力２）とが、位相調整回路１１１から出力されているとする。例えば、位相調整が行われる前における２つの信号の位相差を１８０°とすると、合成器１１５から出力される合成信号はフラットな信号になっている。そして、図に示すタイミングでアンテナ１２１を介して受信された信号（出力２）の位相を１８０°ずらしてアンテナ１２０を介して受信された信号（出力１）の位相と一致させる位相調整が行われると、合成器１１５から出力される信号は急激に変化することとなる。
【０００９】
また、図１３は、重み付けを変更する際の信号の変化を示す図である。例えば、アンテナ１２０を介して受信された信号（出力１）が合成信号として出力されるように、重み付けが設定されているとする。そして、図に示すタイミングで、アンテナ１２１を介して受信された信号（出力２）が合成信号として出力されるように、重み付けが変更されると、合成器１１５から出力される合成信号は急激に変化することとなる。
【００１０】
このように、位相調整のタイミングや、重み付けを変更するタイミングにおいて、合成器１１５から出力される信号が急激に変化すると、検波回路１１６において音声信号に変換する際に、ノイズが発生してしまうこととなる。
【００１１】
本発明は上記課題を鑑みてなされたものであり、位相調整や重み付けの変更により発生するノイズを低減させることができるダイバーシティ受信回路を提供することを目的とする。
【課題を解決するための手段】
【００１２】
上記目的を達成するため、本発明のダイバーシティ受信回路は、第１アンテナを介して受信される第１信号と、第２アンテナを介して受信される第２信号との位相差を調整する位相調整回路と、前記位相調整回路から出力される前記第１信号及び前記第２信号を合成した合成信号を出力する合成回路と、前記位相差の調整に基づいて、前記合成信号に含まれるノイズを検出するノイズ検出回路と、前記ノイズ検出回路の検出結果に基づいて、前記合成信号に含まれるノイズを除去するノイズ除去回路と、を備えることとする。
【００１３】
また、本発明のダイバーシティ受信回路は、第１アンテナを介して受信される第１信号と、第２アンテナを介して受信される第２信号との重み付けを制御する重み付け制御回路と、前記第１信号及び前記第２信号を、前記重み付けに基づいて合成した合成信号を出力する合成回路と、前記重み付けの変化に基づいて、前記合成信号に含まれるノイズを検出するノイズ検出回路と、前記ノイズ検出回路の検出結果に基づいて、前記合成信号に含まれるノイズを除去するノイズ除去回路と、を備えることとすることもできる。
【００１４】
また、本発明のダイバーシティ受信回路は、第１アンテナを介して受信される第１信号と、第２アンテナを介して受信される第２信号との位相差に基づいて、前記第２信号の位相の補正を制御する制御信号を出力する位相制御回路と、前記位相制御回路から出力される前記制御信号を所定の時間遅延させて出力する遅延回路と、前記位相制御回路から出力される前記制御信号に基づいて、前記第２信号の位相を補正して出力する第１位相補正回路と、前記遅延回路から出力される前記制御信号に基づいて、前記第２信号の位相を補正して出力する第２位相補正回路と、前記第１位相補正回路から出力される前記第２信号と、前記第２位相補正回路から出力される前記第２信号とを合成して出力する出力補正回路と、前記第１信号と、前記出力補正回路から出力される前記第２信号とを合成した合成信号を出力する合成回路と、を備えることとすることもできる。
【００１５】
また、本発明のダイバーシティ受信回路は、第１アンテナを介して受信される第１信号の信号レベル及び第２アンテナを介して受信される第２信号の信号レベルに応じて、前記第１信号と前記第２信号との重み付けの制御値を出力する重み付け出力回路と、前記重み付け出力回路から出力される重み付けの制御値である第１の制御値と、前記第１の制御値の直前に前記重み付け出力回路から出力された重み付けの制御値である第２の制御値とに基づいて、重み付けの制御値を前記第２の制御値から前記第１の制御値に徐々に変化させて出力する重み付け更新回路と、前記第１信号及び前記第２信号を、前記重み付け更新回路から出力される前記重み付けの制御値に基づいて合成した合成信号を出力する合成回路と、を備えることとすることもできる。
【００１６】
また、本発明のダイバーシティ受信回路は、前述の構成を組み合わせたものとすることもできる。
【発明の効果】
【００１７】
位相調整や重み付けの変更により発生するノイズを低減させることができるダイバーシティ受信回路を提供することができる。
【発明を実施するための最良の形態】
【００１８】
＜＜第１実施形態＞＞
＝＝回路構成＝＝
まず、本発明の第１実施形態について説明する。図１は、本発明の第１実施形態であるダイバーシティ受信回路の構成を示す図である。ダイバーシティ受信回路１は、位相調整回路１１、重み付け制御回路１２、乗算器１３，１４、合成器１５、ノイズ検出回路１６、ノイズ除去回路１７、検波回路１８、及びオーディオ処理回路１９を含んで構成される。
【００１９】
アンテナ２０（第１アンテナ）で受信されるＦＭ信号は、フロントエンド回路２２によって中間周波信号（第１信号）に変換され、位相調整回路１１に入力される。また、アンテナ２１（第２アンテナ）で受信されるＦＭ信号は、フロントエンド回路２３によって中間周波信号（第２信号）に変換され、位相調整回路１１に入力される。
【００２０】
位相調整回路１１は、アンテナ２０，２１を介して入力される２つの中間周波信号（第１信号及び第２信号）の位相を所定のタイミングで調整して出力する。重み付け制御回路１２は、位相調整回路１１から出力される２つの信号の信号レベル等に基づいて、各信号の重み付けを決定する。そして、位相調整回路１１から出力される２つの信号は、乗算器１３，１４において重み付けが行われ、重み付けされた２つの信号が合成器１５によって合成されて出力される。なお、乗算器１３，１４及び合成器１５が本発明の合成回路に該当する。
【００２１】
ノイズ検出回路１６は、位相調整回路１１において行われる位相調整と、重み付け制御回路における重み付けの変化とに基づいて、合成器１５から出力される合成信号に含まれるノイズを検出する。そして、ノイズ除去回路１７は、ノイズ検出回路１６の検出結果に基づいて、合成器１５から出力される合成信号に含まれるノイズを除去して出力する。ノイズの除去は、例えば、線形補間処理やミュート処理等により行うことができる。
【００２２】
検波回路１８は、ノイズ除去回路１７から出力されるノイズ除去された中間周波信号を音声信号に変換して出力する。そして、オーディオ処理回路１９は、音声信号に低周波増幅処理等の各種オーディオ処理を施し、スピーカ３０から音声を出力する。
【００２３】
図２は、位相調整回路１１の構成例を示す図である。位相調整回路１１は、位相比較回路４１、位相制御回路４２、及び位相補正回路４３を含んで構成されている。
【００２４】
位相比較回路４１は、所定のタイミングで、アンテナ２０からの第１信号の位相とアンテナ２１からの第２信号の位相とを比較する。位相制御回路４２は、位相比較回路４１での比較結果に基づいて、２つの信号の位相を一致させるために第２信号の位相を何度ずらせば良いかを示す制御信号を出力する。そして、位相補正回路４３は、位相制御回路４２から出力される制御信号に基づいて、第２信号の位相を補正して出力する。このように、位相調整回路１１においては、所定の間隔で第１信号の位相と第２信号の位相とを一致させる処理が行われている。また、位相制御回路４２から出力される制御信号は、ノイズ検出回路１６にも入力される。
【００２５】
なお、本実施形態においては、第１信号の位相と第２信号の位相とを一致させるために、第２信号の位相のみを補正することとしたが、第１信号の位相及び第２信号の位相の両方を補正することとしてもよい。
【００２６】
図３は、重み付け制御回路１２の構成例を示す図である。重み付け制御回路１２は、信号レベル検出回路５１，５２、加算器５３、及び乗除算器５４，５５を含んで構成されている。
【００２７】
信号レベル検出回路５１は、位相調整回路１１から出力される第１信号の信号レベルＳ１を検出して出力する。また、信号レベル検出回路５２は、位相調整回路１１から出力される第２信号の信号レベルＳ２を検出して出力する。信号レベル検出回路５１，５２から出力される信号レベルＳ１，Ｓ２は、加算器５３及び乗除算器５４，５５に入力され、重み付けの制御値Ｃ１，Ｃ２が出力される。
【００２８】
なお、本実施形態においては、Ｃ１＝Ｓ１／（Ｓ１＋Ｓ２）、Ｃ２＝Ｓ２／（Ｓ１＋Ｓ２）であり、制御値Ｃ１，Ｃ２は信号レベルＳ１，Ｓ２の比に応じた値となっている。この制御値Ｃ１，Ｃ２は、それぞれ乗算器１３，１４に入力され、第１信号はＣ１倍されて乗算器１３から出力され、第２信号はＣ２倍されて乗算器１４から出力される。したがって、合成器１５からは、信号レベルＣ１，Ｃ２に応じて重み付けが行われた信号を合成した信号が出力されることとなる。また、乗除算器５４，５５から出力される重み付けの制御値Ｃ１，Ｃ２は、ノイズ検出回路１６にも入力される。
【００２９】
＝＝ノイズ除去処理＝＝
ノイズ検出回路１６には、前述したように、位相調整回路１１から出力される制御信号及び重み付け制御回路１２から出力される重み付けの制御値が入力されている。そして、ノイズ検出回路１６は、位相調整の制御信号及び重み付けの制御値に基づいて、合成器１５から出力される合成信号においてノイズが発生する区間を検出して出力する。ノイズ検出回路１６は、例えば、位相調整の変化が所定の閾値を超えた場合や、重み付けの制御値の変化が所定の閾値を超えた場合に、合成信号にノイズが発生すると判断することができる。また、ノイズ検出回路１６は、位相調整の変化が所定の閾値を超えた場合であっても、位相が調整される信号に対する重み付けが小さい場合は、ノイズが発生しないと判断することもできる。
【００３０】
ノイズ除去回路１７は、ノイズ検出回路１６の検出結果に基づいて、合成器１５から出力される合成信号のノイズが含まれている区間に対して、ノイズ除去処理を施して出力する。ここで、ノイズ除去処理は、例えば、線形補間処理やミュート処理等により行うことができる。そして、ノイズ除去回路１７によってノイズ除去された合成信号が検波回路１８に入力される。
【００３１】
これにより、位相調整や重み付けの変更の際に、検波回路１８に入力される合成信号の急激な変化が抑えられ、検波回路１６において音声信号に変換する際のノイズが低減されることとなる。
【００３２】
なお、本実施形態のダイバーシティ受信回路１においては、位相調整回路１１から出力される制御信号及び重み付け制御回路１２から出力される重み付けの制御値の両方に基づいて、ノイズを検出することとしたが、何れか一方のみに基づいてノイズを検出することとしてもよい。ただし、本実施形態に示したように、両方に基づいてノイズを検出することにより、ノイズの除去をより完全に行うことが可能となる。
【００３３】
＜＜第２実施形態＞＞
＝＝回路構成＝＝
次に、本発明の第２実施形態について説明する。図４は、本発明の第２実施形態であるダイバーシティ受信回路の構成を示す図である。ダイバーシティ受信回路６０は、第１実施形態のダイバーシティ受信回路１におけるノイズ検出回路１６及びノイズ除去回路１７を備えておらず、合成器１５の出力が検波回路１８に入力されている。また、ダイバーシティ受信回路６０は、第１実施形態の位相調整回路１１及び重み付け制御回路１２に代えて、位相調整回路６１及び重み付け制御回路６２を備えている。
【００３４】
図５は、位相調整回路６１の構成例を示す図である。位相調整回路６１は、第１実施形態の位相調整回路１１が備える位相比較回路４１及び位相制御回路４２に加えて、位相補正回路６３，６４、遅延回路６５、ノイズ検出回路６６、及び出力補正回路６７を備えている。
【００３５】
位相補正回路６３（第１位相補正回路）は、位相制御回路４２から出力される制御信号に基づいて、アンテナ２１を介して入力される第２信号の位相を補正して出力する。また、遅延回路６５には、位相制御回路４２から出力される制御信号Ｓ（ｘ）が入力されており、制御信号Ｓ（ｘ）を所定の時間遅延させて出力する。つまり、位相制御回路４２から出力される制御信号がＳ（ｘ−１）からＳ（ｘ）に変化した際には、遅延回路６５からは制御信号Ｓ（ｘ−１）が出力されていることとなる。そして、位相補正回路６４（第２位相補正回路）は、遅延回路６５から出力される変更前の制御信号Ｓ（ｘ−１）に基づいて、第２信号の位相を補正して出力する。
【００３６】
ノイズ検出回路６６は、位相制御回路４２から出力される制御信号の変化に基づいて、位相補正回路６３における位相の補正によってノイズが発生する区間を検出して出力する。そして、出力補正回路６７は、位相補正回路６３から出力される信号の当該区間に対して位相補正回路６４から出力される信号を合成して出力する。つまり、出力補正回路６７は、位相補正回路６３における位相の補正によって生じる信号の急激な変化を緩和して出力する。
【００３７】
図６は、重み付け制御回路６２の構成例を示す図である。重み付け制御回路６２は、第１実施形態の重み付け制御回路１２が備える信号レベル検出回路５１，５２、加算器５３、及び乗除算器５４，５５に加えて、遅延回路７１，７２及び更新回路（重み付け更新回路）７３，７４を備えている。なお、信号レベル検出回路５１，５２、加算器５３、及び乗除算器５４，５５が本発明の重み付け出力回路に該当する。
【００３８】
遅延回路７１，７２は、乗除算器５４，５５から出力される重み付けの制御値Ｃ１（ｘ），Ｃ２（ｘ）の一つ前の制御値Ｃ１（ｘ−１），Ｃ２（ｘ−１）を出力する。そして、更新回路７３，７４は、Ｃ１（ｘ−１），Ｃ２（ｘ−１）から徐々にＣ１（ｘ），Ｃ２（ｘ）へと変化させて制御信号Ｃ１，Ｃ２を出力する。なお、更新回路７３，７４における制御信号Ｃ１，Ｃ２の更新処理は、例えば、所定の期間で線形に変化させることとしてもよいし、適応型フィルタを用いて行うこととしてもよい。
【００３９】
＝＝ノイズ除去処理＝＝
このような位相調整回路６１及び重み付け制御回路６２におけるノイズ除去処理について説明する。図７は、位相調整回路６１におけるノイズ除去の様子を示す波形図である。図に示すタイミングで、位相補正処理が実行され、位相制御回路４２から出力される制御信号がＳ（ｘ−１）からＳ（ｘ）に変化したとする。これにより、位相補正回路６３からは制御信号Ｓ（ｘ）に基づいて、第１信号の位相と合わされた信号（実線で示す信号）が出力される。一方、位相補正回路６４には変更前の制御信号Ｓ（ｘ−１）が入力されているため、位相補正回路６４からは当該補正前の信号（破線で示す信号）が出力される。そして、位相補正回路６３，６４から出力される信号は出力補正回路６７によって合成される。したがって、図に示すように、出力補正回路６７から出力される信号においては、位相調整のタイミングにおける信号の急激な変化が抑えられている。このように、位相調整のタイミングにおける信号の急激な変化が抑えられることにより、検波回路１８において音声信号に変換する際のノイズが低減される。
【００４０】
また、図８は、重み付け制御回路６２から出力される重み付けの制御値の変化を示す図である。時刻ｔ１のタイミングで、乗除算器５４から出力される制御信号Ｃ１（ｘ）がａからｂに変化したとする。このとき、遅延回路７１からは変更前の制御信号Ｃ１（ｘ−１）としてａが出力されることとなる。そして、更新回路７３において、制御信号Ｃ１は、変更前の制御信号Ｃ１（ｘ−１）＝ａから変更後の制御信号Ｃ１（ｘ）＝ｂに徐々に更新されて出力される。このように、重み付けの制御値Ｃ１が徐々に変更されることにより、合成器１５から出力される合成信号の急激な変化が抑えられることとなる。そして、合成信号の急激な変化が抑えられることにより、検波回路１８において音声信号に変換する際のノイズが低減される。
【００４１】
なお、本実施形態のダイバーシティ受信回路６０においては、位相調整回路６１及び重み付け制御回路６２の両方において、ノイズ除去処理を行うこととしたが、何れか一方のみでノイズ除去処理を行うこととしてもよい。この場合、例えば、位相調整回路６１又は重み付け制御回路６２の代わりに、第１実施形態に示した位相調整回路１１又は重み付け制御回路１２を用いることができる。ただし、本実施形態に示したように、両方の回路６１，６２を用いることにより、ノイズの除去をより完全に行うことが可能となる。
【００４２】
＜＜その他の実施形態＞＞
また、前述した第１実施形態のダイバーシティ受信回路１及び第２実施形態のダイバーシティ受信回路６０を組み合わせた実施形態も可能である。例えば、第１実施形態のダイバーシティ受信回路１において、位相調整回路１１に代えて第２実施形態の位相調整回路６１を用いることも可能である。この場合、図９に示すように、位相制御回路４２から出力される制御信号がノイズ検出回路１６に入力されることとなる。
【００４３】
また、例えば、第１実施形態のダイバーシティ受信回路１において、重み付け制御回路１２に代えて第２実施形態の重み付け制御回路６２を用いることも可能である。この場合、図１０に示すように、更新回路７３，７４から出力される制御信号Ｃ１，Ｃ２がノイズ検出回路１６に入力されることとなる。
【００４４】
同様に、第１実施形態のダイバーシティ回路１において、位相調整回路１１及び重み付け制御回路１２の両方に代えて、第２実施形態の位相調整回路６１及び重み付け制御回路６２を用いることも可能である。
【００４５】
このように、第１実施形態と第２実施形態とを組み合わせることにより、合成器１５から出力される合成信号の急激な変化の抑制効果が増大され、検波回路１８において音声信号に変換する際のノイズが一層低減されることとなる。
【００４６】
以上、本発明の実施形態について説明したが、第１実施形態において示したように、位相調整回路１１における位相差の調整に基づいて、合成信号の急激な変化を抑制することにより、検波時に発生するノイズを低減させることが可能となる。
【００４７】
また、第１実施形態に示したように、重み付け制御回路１２から出力される重み付けの制御値の変化に基づいて、合成信号の急激な変化を抑制することにより、検波時に発生するノイズを低減させることが可能となる。
【００４８】
さらに、位相差の調整及び重み付けの制御値の変化の両方に基づいてノイズ検出を行うことにより、合成信号の急激な変化の抑制効果を高め、検波時に発生するノイズを更に低減させることが可能となる。
【００４９】
また、第２実施形態において示したように、位相を補正する際に直前の信号と合成して出力することにより、位相補正回路６１から出力される信号の急激な変化を抑えることができる。これにより、合成信号の急激な変化も抑えられ、検波時に発生するノイズを低減させることが可能となる。
【００５０】
また、重み付け制御回路６２から出力される重み付けの制御値を徐々に変更させることにより、合成信号の急激な変化が抑えられ、検波時に発生するノイズを低減させることが可能となる。
【００５１】
そして、位相補正回路６１及び重み付け制御回路６２の両方を用いることにより、合成信号の急激な変化の抑制効果を高め、検波時に発生するノイズを更に低減させることが可能となる。
【００５２】
また、第１実施形態と第２実施形態とを組み合わせることにより、合成器１５から出力される合成信号の急激な変化の抑制効果が増大され、検波回路１８において音声信号に変換する際のノイズが一層低減されることとなる。
【００５３】
なお、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００５４】
例えば、本実施形態においては、アンテナは２つであることとしたが、アンテナが３つ以上の場合においても、本発明を適用することが可能である。
【００５５】
また、本実施形態においては、ダイバーシティ受信回路において受信する信号をＦＭ信号としたが、対象とする信号はＦＭ信号に限られず、複数のアンテナを用いて受信する信号であればよい。例えば、携帯電話や地上デジタル放送等に用いられるＯＦＤＭ信号についても、本発明のダイバーシティ受信回路を適用することが可能である。
【図面の簡単な説明】
【００５６】
【図１】本発明の第１実施形態であるダイバーシティ受信回路の構成を示す図である。
【図２】第１実施形態に係る位相調整回路の構成例を示す図である。
【図３】第１実施形態に係る重み付け制御回路の構成例を示す図である。
【図４】本発明の第２実施形態であるダイバーシティ受信回路の構成を示す図である。
【図５】第２実施形態に係る位相調整回路の構成例を示す図である。
【図６】第２実施形態に係る重み付け制御回路の構成例を示す図である。
【図７】第２実施形態に係る位相調整回路６１におけるノイズ除去の様子を示す波形図である。
【図８】第２実施形態に係る重み付け制御回路から出力される重み付けの制御値の変化を示す図である。
【図９】第２実施形態に係る位相制御回路から第１実施形態に係るノイズ検出回路１６に出力される制御信号を示す図である。
【図１０】第２実施形態に係る重み付け制御回路から第１実施形態に係るノイズ検出回路１６に出力される重み付けの制御値を示す図である。
【図１１】ＦＭ信号を複数のアンテナを介して受信するダイバーシティ受信回路の一般的な構成例を示す図である。
【図１２】位相調整を行う際の信号の変化を示す図である。
【図１３】重み付けを変更する際の信号の変化を示す図である。
【符号の説明】
【００５７】
１，６０  ダイバーシティ受信回路        １１，６１  位相調整回路
１２，６２  重み付け制御回路            １３，１４  乗算器
１５  合成器                            １６，６５  ノイズ検出回路
１７  ノイズ除去回路                    １８  検波回路
１９  オーディオ処理回路                ２０，２１  アンテナ
２２，２３  フロントエンド回路          ３０  スピーカ
４１  位相比較回路                      ４２  位相制御回路
４３，６２，６３  位相補正回路          ５１，５２  信号レベル検出回路
５３  加算器                            ５４，５５  乗除算器
６４，７１，７２  遅延回路              ６６  出力補正回路
７３，７４  更新回路
【図１】
2007027944.tif 000003
【図２】
2007027944.tif 000004
【図３】
2007027944.tif 000005
【図４】
2007027944.tif 000006
【図５】
2007027944.tif 000007
【図６】
2007027944.tif 000008
【図７】
2007027944.tif 000009
【図８】
2007027944.tif 000010
【図９】
2007027944.tif 000011
【図１０】
2007027944.tif 000012
【図１１】
2007027944.tif 000013
【図１２】
2007027944.tif 000014
【図１３】
2007027944.tif 000015